(57)【要約】【課題】ＰＣ，ＰＤＡ等へのホットスポットサービスのエリアを拡大するには、特に設置場所の選定、設置オーナーへの承諾等の事務手続きが多く、開局するまでには多大な時間を必要とした。【解決手段】商品を販売する販売制御装置７と、前記販売制御装置７に電源を供給する電源装置８で構成される自動販売機本体６に、ＡＤＳＬ、光等通信を行なうためのデータ変調／復調装置２を有したことにより、ホットスポットサービスのサービスエリアを拡大するのに必要な無線型のＬＡＮ装置３の基地局装置を自動販売機本体６に搭載することにより、サービスエリアの拡大を短期間で実現し、インターネット上のブラウジング、メール、ＩＰ電話等の各サービスを広いエリアに提供することができる。【選択図】図１
2006244337.tif 000002
【特許請求の範囲】
【請求項１】
商品を販売する販売制御装置と、前記販売制御装置に電源を供給する電源装置で構成される自動販売機本体に、インターネット通信を行なうためのデータ変調／復調装置を有したことを特徴とする自動販売機。
【請求項２】
前記データ変調／復調装置は、無線で通信を行なうLAN装置と、前記LAN装置に接続され、電波の送受信を行なうアンテナと、前記データ変調／復調装置と、前記ＬＡＮ装置と、前記アンテナに電源を供給する通信用電源装置を有したことを特徴とする請求項１に記載の自動販売機。
【請求項３】
アンテナは、上下、前後、左右の可動できる可動装置を有したことを特徴とする請求項２に記載の自動販売機。
【請求項４】
前記電源装置と、前記通信用電源装置を、１つの電源で構成した共有電源装置を有したことを特徴とする請求項１から３のいずれか一項に記載の自動販売機。
【発明の詳細な説明】
【技術分野】
【０００１】
本発明は、店舗等で行われている無線型のＬＡＮ装置を自動販売機に搭載し、利用したホットスポットサービスに関する発明である。
【背景技術】
【０００２】
従来から、パーソナルコンピューター（以下ＰＣ）、携帯端末機（以下ＰＤＡ）で、所定のソフトウェアを立ち上げホットスポットサービスのエリア内か否かを判定する機能を有する発明が提案されている（例えば、特許文献１参照）ものがある。
【０００３】
図８は従来提案されたＰＣ，ＰＤＡに所定の無線型のＬＡＮ装置をＰＣカード、ＵＳＢ等の手段で搭載し、ホットスポットサービス用の専用ソフトウェアを立ち上げることにより、現在位置がホットスポットサービスエリア内のアクセスポイントであるかを確認することができる、サービスエリア内であれば、ブラウザー、メール等のインターネットサービスを受けることができるが、サービスエリア外であれば、インターネットサービスを受けることができない。そのためファーストフードの店舗等を中心に各社サービスエリアの拡大を進めている。
【０００４】
この発明では、ホットスポットサービスのサービスエリアを拡大するのに必要な無線型のＬＡＮ装置の基地局装置を自動販売機に搭載することにより、サービスエリアの拡大を短期間で実現し、インターネット上のブラウジング、メール、ＩＰ電話等の各サービスを全国民に提供することができる。
【特許文献１】特開２００２−３１５０５８号公報
【発明の開示】
【発明が解決しようとする課題】
【０００５】
しかしながら、ホットスポットサービスのサービスエリアを拡大するには、特に設置場所の選定、設置オーナーへの承諾等の事務手続きが多く、開局するまでには多大な時間を必要とした。そのため従来のＰＣ，ＰＤＡに所定の無線型のＬＡＮ装置をＰＣカード、ＵＳＢ等の手段で搭載し、ホットスポットサービス用の専用ソフトウェアを立ち上げることにより、現在位置がホットスポットサービスエリア内であるかを確認することができる、サービスエリア内であれば、ブラウザー、メール等のインターネットサービスを受けることができるが、サービスエリア外であれば、インターネットサービスを受けることができない。
【０００６】
本発明は上記課題を解決するものであり、サービスエリアの拡大を短期間で実現し、インターネットサービスを容易に提供することを目的とする。
【課題を解決するための手段】
【０００７】
本発明は、ホットスポットサービスのサービスエリアを拡大するのに必要な無線型のＬＡＮ装置の基地局装置を自動販売機に搭載することにより、サービスエリアの拡大を短期間で実現し、インターネット上のブラウジング、メール、ＩＰ電話等の各サービスを全国民に提供することができる。
【０００８】
更に、自動販売機の設置間隔と無線型のＬＡＮ装置の無線到達距離とほぼ一致しており、現在設置されている自動販売機に搭載すれば、サービスエリアを網羅することができる。
【０００９】
更に、自動販売機は飲料メーカの所有物のため、飲料メーカの承諾を取るだけで、個々の設置オーナーとの交渉は行う必要がなく、非常に短期間で開局をすることができる。
【００１０】
更に、自動販売機の設置位置にかかわらず、常に無線型のＬＡＮ装置のアンテナ指向性が、ホットスポットサービスを受けているユーザに対して、最適になるように自動販売機に搭載したアンテナが可変できる機構を儲けている。
【００１１】
更に、データ変調／復調装置と、無線型のＬＡＮ装置の電源については、自動販売機の電源を共用するため、あえて専用の電源を準備する必要ない。
【発明の効果】
【００１２】
本発明の自動販売機は、インターネットホットスポットのサービスエリアの拡大を短期間で実現し、インターネット上のブラウジング、メール、ＩＰ電話等の各サービスを全国民に提供することができる。
【発明を実施するための最良の形態】
【００１３】
請求項１に記載の発明は、商品を販売する販売制御装置と、前記販売制御装置に電源を供給する電源装置で構成される自動販売機本体に、ADSL、光等通信を行なうためのデータ変調／復調装置を有したことにより、自動販売機をインターネットに接続することができる。
【００１４】
請求項２に記載の発明は、請求項１に記載のデータ変調／復調装置に、有線ケーブルを使わず、電波や光などの無線で通信を行なうLAN装置と、前記LAN装置に接続され、空間に電波を放射したり、空間を伝わって来た電波をとらえたりするアンテナと、前記データ変調／復調装置と、前記LAN装置と、前記アンテナに電源を供給する通信用電源装置を有したことにより、ホットスポットサービスのサービスエリアを拡大するのに必要な無線型のＬＡＮ装置の基地局装置を自動販売機に搭載することにより、サービスエリアの拡大を短期間で実現し、インターネット上のブラウジング、メール、ＩＰ電話等の各サービスを全国民に提供することができる。
【００１５】
更に、自動販売機の設置間隔と無線型のＬＡＮ装置の無線到達距離とほぼ一致しており、現在設置されている自動販売機に搭載すれば、サービスエリアを網羅することができる。
【００１６】
更に、自動販売機は飲料メーカの所有物のため、飲料メーカの承諾を取るだけで、個々の設置オーナーとの交渉は行う必要がなく、非常に短期間で開局をすることができる。
【００１７】
請求項３に記載の発明は、請求項２に記載のアンテナに、上下、前後、左右の可動できる可動装置を有したことにより、自動販売機の設置位置にかかわらず、常に無線型のＬＡＮ装置のアンテナ指向性が、ホットスポットサービスを受けているユーザに対して、最適になるように自動販売機に搭載したアンテナが可変できる機構を儲けている。
【００１８】
請求項４に記載の発明は、請求項１に記載の電源装置と、請求項２に記載の通信用電源装置を、１つの電源で構成した共有電源装置を有したことにより、データ変調／復調装置と、無線型のＬＡＮ装置の電源については、自動販売機の電源を共用するため、あえて専用の電源を準備する必要ないため、電源装置のコストが安くでき、外部通信装置を搭載しやすくなる。
【００１９】
（実施の形態１）
以下、本発明の電波強度測定装置の実施形態について、図面を参照しながら説明する。なお、従来と同一構成については、同一符号を付して詳細な説明を省略する。図１は、本発明の実施の形態１における外部通信装置搭載の自動販売機の構成図である。
【００２０】
図１において、外部通信装置１は、データ変調／復調装置２とＬＡＮ装置３と、アンテナ４と、通信用電源装置５で構成されている。
【００２１】
また自動販売機本体６には、商品の金銭管理や搬送の販売を行う販売制御装置７と、前記販売制御装置７の電源を賄う電源装置８で構成されている。
【００２２】
以下図２を用いて、動作の説明を行う。
【００２３】
インターネットから公衆回線、専用回線等を経由し送信されてくる情報が、データ変調／復調装置２に入力され、復調された情報が、ＬＡＮ装置３出力される、ＬＡＮ装置３では、情報をIEEE８０２．１１＊等の規定の規格にし、またＷＥＰなどのセキュリティ機能を付加させたのち、アンテナ４を経由し、情報を送信する。
【００２４】
また、データ変調／復調装置２、ＬＡＮ装置３の電源は、通信用電源装置５より供給されている。
【００２５】
また自動販売機本体６は、通常の商品の販売動作を行うため、電源装置８に入力されたＡＣ電源からＤＣ電源を、販売制御装置７に供給し、金銭管理、搬出動作を行う。
【００２６】
以下、同一の装置における同一の動作の説明については省略する。
【００２７】
図３において、可動装置９は、前記アンテナ４を上下、左右、前後に可動させるための装置である。
【００２８】
図４において、可動装置９は、前記通信用電源装置５からＤＣ電源を入力され、前記データ変調／復調装置２、ＬＡＮ装置５、アンテナ４の指令情報に基き、アンテナ４を上下、左右、前後にアンテナ４の位置を変更する。
【００２９】
図５を用いて、その詳細な動作を説明する。
【００３０】
図５において、９は可動装置であり、回転盤１２と、回転盤１２を昇降させる昇降装置１０と、回転盤１２を回転させる回転装置１１で構成されている。
【００３１】
回転盤１２に取り付けられているアンテナ４は、昇降装置１０により上下の動作を行い、回転装置１１の回転方向により、前後、もしくは左右にアンテナ４の方向を変えることができる。
【００３２】
また、アンテナを見本商品展示室の内部に設けることも可能である。この場合、悪戯に対しアンテナを保護することができる。
【００３３】
図６、図７において、外部通信装置１と、自動販売機本体６の電源を共有にした場合について説明する。
【００３４】
図６では、外部通信装置１と、自動販売機本体６に電源を供給する共用電源装置１３を搭載する。
【００３５】
図７においてその動作について説明する。前記通信用電源装置５と前記電源装置８の変わりに共用電源装置１３を自動販売機本体６内に搭載する。
【００３６】
ＡＣ電源を供給されて共用電源装置１３は、各々前記データ変調／復調装置２と前記販売制御装置７にＤＣ電源を入力することができる。
【００３７】
上記実施例により、本発明は、ホットスポットサービスのサービスエリアを拡大するのに必要な無線型のＬＡＮ装置の基地局装置を自動販売機に搭載することにより、サービスエリアの拡大を短期間で実現し、インターネット上のブラウジング、メール、ＩＰ電話等の各サービスを全国民に提供することができる。
【００３８】
更に、自動販売機の設置間隔と無線型のＬＡＮ装置の無線到達距離とほぼ一致しており、現在設置されている自動販売機に搭載すれば、サービスエリアを網羅することができる。
【００３９】
更に、自動販売機は飲料メーカの所有物のため、飲料メーカの承諾を取るだけで、個々の設置オーナーとの交渉は行う必要がなく、非常に短期間で開局をすることができる。
【００４０】
更に、自動販売機の設置位置にかかわらず、常に無線型のＬＡＮ装置のアンテナ指向性が、ホットスポットサービスを受けているユーザに対して、最適になるように自動販売機に搭載したアンテナが可変できる機構を儲けている。
【００４１】
更に、データ変調／復調装置と、無線型のＬＡＮ装置の電源については、自動販売機の電源を共用するため、あえて専用の電源を準備する必要ない。
【産業上の利用可能性】
【００４２】
以上のように、本発明にかかる自動販売機は、インターネットホットスポットのサービスエリアの拡大を短期間で実現することが可能となるので、インターネットサービスのインフラ展開に利用できる。
【図面の簡単な説明】
【００４３】
【図１】本発明の実施の形態１における外部通信装置搭載の自動販売機の構成図
【図２】本発明の実施の形態１における外部通信装置搭載の自動販売機のブロック図
【図３】本発明の実施の形態１における可動装置搭載の自動販売機の構成図
【図４】本発明の実施の形態１における可動装置搭載の自動販売機のブロック図
【図５】本発明の実施の形態１における可動装置搭載の構成図
【図６】本発明の実施の形態１における共用電源装置搭載の自動販売機の構成図
【図７】本発明の実施の形態１における共用電源装置搭載の自動販売機のブロック図
【図８】従来例のホットスポットの構成を示す図
【符号の説明】
【００４４】
１    外部通信装置
２    データ変調／復調装置
３    ＬＡＮ装置
４    アンテナ
５    通信用電源装置
６    自動販売機本体
７    販売制御装置
８    電源装置
９    可動装置
１０    昇降装置
１１    回転装置
１２    回転盤
１３    共用電源装置
【図１】
2006244337.tif 000003
【図２】
2006244337.tif 000004
【図３】
2006244337.tif 000005
【図４】
2006244337.tif 000006
【図５】
2006244337.tif 000007
【図６】
2006244337.tif 000008
【図７】
2006244337.tif 000009
【図８】
2006244337.tif 000010